(57)【要約】【課題】高周波重畳振幅が大幅に変更された場合であっても、安定した再生を行うことが可能な光ディスク装置を提供する。【解決手段】本発明の光ディスク装置は、レーザー光を照射する半導体レーザー２１とレーザー光の戻り光を受光する受光部２４とを含む光ピックアップ部１１を有する。また、高周波信号を生成する高周波発生回路１２ａと、高周波発生回路１２ａによって生成された高周波信号を所定の駆動信号に重畳して得られる重畳信号を生成するピックアップ・ドライバー１２とを有する。ピックアップ・ドライバー１２は、高周波発生回路１２ａによって生成された高周波信号の振幅設定及び周波数に応じたＤＣオフセット補正値を用いて、重畳信号のＤＣオフセットを補正して、半導体レーザー２１を駆動する駆動信号を生成する。【選択図】図１
2014175029.tif 000002
【特許請求の範囲】
【請求項１】
光ディスクを再生する光ディスク装置であって、
レーザー光を照射するレーザー照射部、及び前記レーザー光の戻り光を受光する受光部を含む光ピックアップ部と、
高周波信号を生成する高周波生成部と、
前記高周波生成部によって生成された高周波信号を所定の駆動信号に重畳して得られる重畳信号を生成する重畳信号生成部と、
前記高周波生成部によって生成された高周波信号の振幅設定及び周波数に応じたＤＣオフセット補正値を用いて、前記重畳信号生成部によって生成される重畳信号のＤＣオフセットを補正して、前記レーザー照射部を駆動する駆動信号を生成する駆動部とを備える、
光ディスク装置。
【請求項２】
前記駆動部は、
少なくとも前記高周波信号の実際の振幅が前記振幅設定と異なっている場合に、
前記重畳する高周波信号の振幅設定及び周波数に応じたＤＣオフセット補正値を用いて、前記重畳信号のＤＣオフセットを補正すること
を特徴とする、請求項１に記載の光ディスク装置。
【請求項３】
前記重畳する高周波信号の振幅設定及び周波数に応じたＤＣオフセット補正値は、前記重畳する高周波信号の振幅設定及び周波数に応じた変数と前記振幅設定とに基づいていること
を特徴とする、請求項１または請求項２に記載の光ディスク装置。
【請求項４】
前記重畳する高周波信号の振幅設定及び周波数に応じたＤＣオフセット補正値は、前記重畳する高周波信号の振幅設定及び周波数に応じた変数と前記振幅設定との積であること
を特徴とする、請求項３に記載の光ディスク装置。
【請求項５】
光ディスクを再生する光ディスク再生方法であって、
レーザー照射部により前記光ディスクへレーザー光を照射する照射工程と、
前記レーザー光の戻り光を受光する受光工程と、
高周波信号を生成する高周波生成工程と、
前記高周波生成工程によって生成された高周波信号を所定の駆動信号に重畳して得られる重畳信号を生成する重畳信号生成工程と、
前記高周波生成工程によって生成された高周波信号の振幅設定及び周波数に応じたＤＣオフセット補正値を用いて、前記重畳信号生成工程によって生成される重畳信号のＤＣオフセットを補正して、前記レーザー照射部を駆動する駆動信号を生成する駆動工程と、を備える、
光ディスク再生方法。
【発明の詳細な説明】
【技術分野】
【０００１】
本発明は、光ディスクを再生する光ディスク装置、及び光ディスクの再生方法に関する。
【背景技術】
【０００２】
近年、ＣＤ（Compact Disc）やＤＶＤ（Digital Versatile Disc）、ＢＤ（Blu-lay Disc：登録商標）といった光ディスクが普及し、一般的に用いられるようになっている。そして光ディスクに記録された情報、例えば音声情報や画像情報を読み出して記録／再生するための装置として、光ディスク装置が実用化されている。広く知られている光ディスク装置としては、例えばＣＤプレイヤ、ＤＶＤプレイヤ、ＢＤレコーダ、或いはパソコンに接続されるＣＤ−ＲＯＭドライブ等があげられる。
【０００３】
光ディスク装置は、光ディスクに対してレーザー光を照射して情報の読み取りを行うための光ピックアップを備えている。光ピックアップは、ターンテーブル上に固定されて回転している光ディスクの情報記録面に対してレーザー光を照射するレーザーダイオードを有する。
【０００４】
また光ピックアップは、情報記録面からの反射光を受光するための光検出器、例えばフォトダイオードを有する。光ピックアップは、光検出器により光を電気信号に変換して出力する。
【０００５】
光ディスクから正確に情報を読み取るためには、レーザー光の光軸を光ディスク上に形成されたピット列の中心に追随させるトラッキング処理を行う必要がある。これをなすために光ピックアップ装置内には、対物レンズを光ディスクの径方向に駆動させるためのアクチュエーターと、アクチュエーターの制御を行うトラッキングサーボとが備えられている。
【０００６】
このような光ディスク装置において、光ピックアップからの信号の品質を改善し、サーボ性能を向上させるために、レーザー光を照射するレーザーダイオードの駆動信号に高周波信号を重畳させる技術が実用化されている。
【０００７】
上記の技術に関連して、光ピックアップからの信号の乱れを検出し、この検出結果に応じて、駆動信号に重畳する高周波信号の振幅（以下、「高周波重畳振幅」という）を変更する光ディスク装置が開示・提案されている（例えば特許文献１を参照）。
【先行技術文献】
【特許文献】
【０００８】
【特許文献１】国際公開第２００４／１０５００６号
【発明の概要】
【発明が解決しようとする課題】
【０００９】
しかしながら上記で開示されている技術では、高周波重畳振幅を変更する際の変更量が比較的大きい場合に、レーザーパワーが急激に変動し、光ピックアップからの信号レベルが大きく変動してしまう。このため、サーボ外れ等の不具合を引き起こし、安定した再生ができないという問題があった。
【００１０】
本発明の目的は、上記の状況に鑑み、光ディスクを再生する光ディスク装置及び再生方法において、高周波重畳振幅を大幅に変更する場合であっても、安定した再生を行うことが可能な光ディスク装置及び再生方法を提供することにある。
【課題を解決するための手段】
【００１１】
上記目的を達成するために本発明の光ディスク装置は、光ディスクを再生する光ディスク装置であって、レーザー光を照射するレーザー照射部、及び前記レーザー光の戻り光を受光する受光部を含む光ピックアップ部と、高周波信号を生成する高周波生成部と、前記高周波生成部によって生成された高周波信号を所定の駆動信号に重畳して得られる重畳信号を生成する重畳信号生成部と、前記高周波生成部によって生成された高周波信号の振幅設定及び周波数に応じたＤＣオフセット補正値を用いて、前記重畳信号生成部によって生成される重畳信号のＤＣオフセットを補正して、前記レーザー照射部を駆動する駆動信号を生成する駆動部とを備えることを特徴としている。
【００１２】
この構成によると、例えば装置状態の変化や環境変化等により高周波信号の設定振幅や周波数を調整する必要が生じても、重畳信号のＤＣオフセットが残存することを抑えることができるので、レーザーパワーの変動を抑えることができる。したがって、例えば装置状態の変化や環境変化等により高周波信号の設定振幅や周波数を調整する必要が生じても、安定した再生を行うことができる。
【００１３】
また本発明の光ディスク装置は、少なくとも前記高周波信号の実際の振幅が前記振幅設定と異なる場合に、前記重畳する高周波信号の振幅設定及び周波数に応じたＤＣオフセット補正値を用いて、前記重畳信号のＤＣオフセットを補正する構成であることが好ましい。
【００１４】
この構成によると、従来では高周波重畳振幅を大幅に変更したときに再生が不安定になっていた高周波信号の実際の振幅が振幅設定と異なる場合であっても、安定した再生を行うことができる。
【００１５】
また本発明の光ディスク装置において、前記重畳する高周波信号の振幅設定及び周波数に応じたＤＣオフセット補正値が、前記重畳する高周波信号の振幅設定及び周波数に応じた変数と前記振幅設定とに基づいていることが好ましい。
【００１６】
さらに、前記重畳する高周波信号の振幅設定及び周波数に応じたＤＣオフセット補正値が、前記重畳する高周波信号の振幅設定及び周波数に応じた変数と前記振幅設定との積であることがより好ましい。
【００１７】
この構成によると、従来のＤＣオフセット補正値が固定値と振幅設定との積であったため、固定値を高周波信号の振幅設定及び周波数に応じた変数に変更するだけで本発明を容易に実施することができる。
【００１８】
また上記目的を達成するために本発明の光ディスク再生方法は、レーザー照射部により前記光ディスクへレーザー光を照射する照射工程と、前記レーザー光の戻り光を受光する受光工程と、高周波信号を生成する高周波生成工程と、前記高周波生成工程によって生成された高周波信号を所定の駆動信号に重畳して得られる重畳信号を生成する重畳信号生成工程と、前記高周波生成工程によって生成された高周波信号の振幅設定及び周波数に応じたＤＣオフセット補正値を用いて、前記重畳信号生成工程によって生成される重畳信号のＤＣオフセットを補正して、前記レーザー照射部を駆動する駆動信号を生成する駆動工程と、を備えることを特徴とする。
【００１９】
この構成によると、高周波信号の設定振幅や周波数を調整する必要が生じても、安定した再生を行うことができる。
【発明の効果】
【００２０】
本発明によれば、高周波重畳振幅を大幅に変更する場合であっても、サーボ外れ等の不具合が引き起こされることがなく、安定した再生を行うことが可能である。
【図面の簡単な説明】
【００２１】
【図１】本発明の一実施形態に係る光ディスク装置の構成を示すブロック図である。
【図２】各種信号の波形を示す波形図である。
【図３】振幅変更時の理想的な駆動信号波形を示す波形図である。
【図４】従来の光ディスク装置における振幅変更時の実際の駆動信号波形を示す波形図である。
【図５】従来の光ディスク装置における振幅変更時の各種信号の波形を示す波形図である。
【図６】本発明の一実施形態に係るＤＣオフセット補正値決定処理を示すフロー図である。
【図７】ＤＣオフセット補正値の例を示す図である。
【発明を実施するための形態】
【００２２】
以下に本発明の実施形態を、図面を参照しながら説明する。なお、ここで示す実施形態は一例であり、本発明はここに示す実施形態に限定されるものではない。
【００２３】
〈１．装置構成について〉
図１は、本発明の一実施形態に係る光ディスク装置１を示す構成図である。光ディスク装置１は、テレビジョン放送にかかるデータをＤＶＤ等の光ディスク１００に記録することができる。また、光ディスク装置１は、光ディスク１００に記録されたデータを再生し、この光ディスク装置１に接続された図示しない外部装置（例えば液晶モニター）に出力することができる。
【００２４】
図１に示すように、光ディスク装置１は、光ピックアップ部１１、ピックアップ・ドライバー１２（＝駆動部の一例）、位置制御部１３、再生信号処理部１４、入力Ｉ／Ｆ１５、及び制御部１６を備える。
【００２５】
光ピックアップ部１１は、レーザー光を照射する半導体レーザー２１（＝レーザー照射部の一例）、レーザー光の光路を形成する光学系としての対物レンズ２２、偏向ビームスプリッタ２３、及び受光部２４を備える。
【００２６】
半導体レーザー２１は、ピックアップ・ドライバー１２から入力される駆動信号に応じて所定周期で発振し、レーザー光を照射させる。半導体レーザー２１は、例えばＤＶＤに対応する６５０ｎｍ帯のレーザー光や、ＣＤに対応する７８０ｎｍ帯のレーザー光を照射できるレーザーダイオードを含む。なお本実施形態では、レーザーを照射する装置の一例として半導体レーザー２１を例示しているが、これ以外の装置によりレーザー光を照射する形態でもよい。
【００２７】
対物レンズ２２及び偏光ビームスプリッタ２３は、半導体レーザー２１から照射されるレーザー光を光ディスク１００に導くとともに、レーザー光が光ディスク１００で反射することにより形成される戻り光を受光部２４に導く。
【００２８】
受光部２４は、フォトダイオード等の受光素子を含み、受光した光を電気信号に変換して出力する。受光部２４は、例えば四分割された受光領域を備えており、領域ごとに個別に光電変換を行って電気信号を出力することが可能である。これにより、再生信号ＲＦや、各種制御信号を出力することが可能である。
【００２９】
ピックアップ・ドライバー１２は、半導体レーザー２１を駆動する駆動信号を生成する。光ディスク１００の再生を行う再生モード時の駆動信号は、高周波重畳法により生成される。高周波重畳法では、戻り光のノイズを低減することを目的として、元となる直流駆動信号Ｉreadに対して高周波信号Ｉrfを重畳することにより、再生モード時の駆動信号が生成される。
【００３０】
そのため、ピックアップ・ドライバー１２は、高周波信号Ｉrfを生成する高周波発生回路１２ａ（＝高周波生成部の一例）を備える。高周波発生回路１２ａは、制御部１６から入力される制御信号に応じて、振幅設定Ｉmodの高周波信号Ｉrfを生成する。なお、上記の半導体レーザー２１を駆動する駆動信号、直流駆動信号Ｉread、及び高周波信号Ｉrfはそれぞれ電流信号である。
【００３１】
位置制御部１３は、制御部１６から入力されるトラッキングエラー信号ＴＥやフォーカスエラー信号ＦＥに基づいて、対物レンズ２２の位置制御を行う。位置制御部１３は、対物レンズ２２の位置を変化させる２軸のアクチュエーターを備える。
【００３２】
位置制御部１３は、トラッキングエラー信号ＴＥに基づいて、対物レンズ２２を光ディスクのトラックに追従させるトラッキング制御を行う。また、位置制御部１３は、フォーカスエラー信号ＦＥに基づいて、対物レンズ２２の焦点距離を調整するフォーカス制御を行う。
【００３３】
再生信号処理部１４は、光ピックアップ部１１より入力される再生信号ＲＦ、及び制御信号を復調する。また再生信号処理部１４は、復調後の再生信号ＲＦに対して誤り訂正処理を行う。
【００３４】
入力Ｉ／Ｆ１５は、例えば、テレビジョン放送信号を取得するチューナーである。入力Ｉ／Ｆ１５により取得されたデータは、光ピックアップ部１１により光ディスク１００に書き込まれるデータに変換される。
【００３５】
制御部１６は、光ディスク装置１の駆動を統合的に制御する演算処理装置であり、例えばＤＳＰ（Digital Signal Processor）がこれに相当する。制御部１６は、再生信号処理部１４により復調された制御信号をもとに、トラッキングエラー信号ＴＥやフォーカスエラー信号ＦＥ等を生成し、位置制御部１３に出力する。また、制御部１６は、高周波発生回路１２ａに対して、高周波信号Ｉrfの振幅設定Ｉmodや周波数の変更を指示する機能を有する。
【００３６】
〈２．信号波形について〉
次に、各種信号の波形について説明する。再生モード時にピックアップ・ドライバー１２において用いられる直流駆動信号Ｉreadの波形を図２（ａ）に示し、高周波信号Ｉrfの波形を図２（ｂ）に示す。直流駆動信号Ｉreadは値が常にａの電流信号であり、高周波信号Ｉrfはボトム値０、振幅設定Ｉmod、平均値０．５Ｉmodの電流信号である。
【００３７】
ここで、直流駆動信号Ｉreadに高周波信号Ｉrfを単純に重畳すると、図２（ｃ）に示す駆動信号波形のように駆動信号の平均値がａ＋０．５Ｉmodになってしまい、高周波重畳を行わない場合と比較して駆動信号の平均値が０．５Ｉmod増加し、高周波重畳を行わない場合よりもレーザー光の出力レベルが大きくなってしまう。
【００３８】
そこで、従来の光ディスク装置は、高周波重畳を行う場合、直流駆動信号Ｉreadに高周波信号Ｉrfを重畳して得られる重畳信号から０．５Ｉmodを減算してＤＣオフセットを補正することによって、図２（ｄ）に示す平均値がａの駆動信号をピックアップ・ドライバー１２において生成している。そうすると、高周波信号Ｉrfが振幅設定Ｉmod通りで振動している理想的な状態においては、高周波信号Ｉrfの振幅設定Ｉmodが変更された場合でも、図３に示すように駆動信号の平均値がａから変動しない。
【００３９】
しかしながら、高周波信号Ｉrfの実際の振幅は周波数特性を有しており、高周波信号Ｉrfの周波数が閾値Ｖthよりも高くなれば、振幅設定Ｉmodよりも小さくなる。このため、図４に示すように、期間Ｔ１における実際の駆動信号の平均値がａよりも小さいｂになり、期間Ｔ２における実際の駆動信号の平均値がａよりも小さいｃになる。なお、図４においては、理想的な駆動信号波形、実際の駆動信号波形をそれぞれ太点線、太実線で示し、実際の駆動信号の期間Ｔ１、期間Ｔ２それぞれにおける平均値を最太実線でしている。
【００４０】
このため、従来の光ディスク装置において、振幅設定Ｉmodを期間Ｔ１と期間Ｔ２とで大幅に変更した場合、期間Ｔ１における実際の駆動信号の平均値ｂと期間Ｔ２における実際の駆動信号の平均値ｃとの差が大きくなり、半導体レーザー２１のレーザーパワーが急激に変動する。この結果、トラッキングエラー信号ＴＥや再生信号ＲＦの信号レベルが大きく変動し、サーボ外れ等の不具合を引き起こす可能性があった。
【００４１】
図５は、従来の光ディスク装置において、振幅設定Ｉmodを大幅に変更した場合における、各種信号の波形を示した波形図である。図５は、一段目がトラッキング駆動信号ＴＲ、二段目がトラッキングエラー信号ＴＥ、三段目が再生信号ＲＦ＋、四段目が半導体レーザー２１に取り付けられた前光モニタからの出力信号ＶＰＤ＋（以下、出力信号ＶＰＤ＋」という）を示している。
【００４２】
図５に示されている期間ΔＴ（図４に示す期間Ｔ１から期間Ｔ２への遷移期間）においては、トラッキング駆動信号ＴＲ及びトラッキングエラー信号ＴＥに大きな乱れが生じている。これは、半導体レーザー２１のレーザーパワーが大幅に変更され、出力信号ＶＰＤ＋が突如変動したためである。この結果、トラッキングサーボ外れが引き起こされる。
【００４３】
そこで本発明では、上記の不具合を回避するために、高周波信号Ｉrfの振幅設定Ｉmod及び周波数に応じたＤＣオフセット補正値を用いて、重畳信号のＤＣオフセットを補正する構成とし、高周波重畳振幅の変更時にレーザーパワーが変動することを抑えるようにする。次に、本実施形態のＤＣオフセット補正値決定処理の詳細について説明する。
【００４４】
〈３．ＤＣオフセット補正値決定処理について〉
ここで、本発明の一実施形態に係るＤＣオフセット補正値決定処理を、図６のフロー図を用いながら説明する。なお、図６示す処理フローは、高周波信号Ｉrfの振幅設定Ｉmodと高周波信号Ｉrfとの組み合わせの各々について少なくとも１回実施されればよく、例えば光ディスク装置１の製造時や工場出荷前の検査時、或いはユーザ購入後の初期電源起動時等に実施される処理フローである。図６示す処理フローは、高周波信号Ｉrfの振幅設定Ｉmodと高周波信号Ｉrfとの組み合わせの各々について複数回実施されてもよいため、例えば電源起動時毎等に実施されてもよい。
【００４５】
本実施形態では、高周波発生回路１２ａが、高周波信号Ｉrfの振幅設定Ｉmodを３０ｈ、４０ｈ、５０ｈ、６０ｈ、７０ｈ、８０ｈ、９０ｈ、Ａ０ｈ、Ｂ０ｈ、Ｃ０ｈ、Ｄ０ｈの１１通りに変更でき、高周波信号Ｉrfの周波数をｆ１、ｆ２、ｆ３、ｆ４、ｆ５の５通りに変更できる。ただし、ｆ１＜ｆ２＜ｆ３＜ｆ４＜ｆ５とする。したがって、高周波信号Ｉrfの振幅設定Ｉmodと高周波信号Ｉrfの周波数との組み合わせは５５通りになる。
【００４６】
ＤＣオフセット補正値決定処理の開始後、ピックアップ・ドライバー１２は、ＡＣＣ（Auto Current Control）をオンにして、直流駆動信号Ｉreadの値を一定にする（ステップＳ１）。
【００４７】
次に、ピックアップ・ドライバー１２は、ＤＣオフセット補正値を初期値（０．５Ｉmod）に設定し、半導体レーザー２１に出力する再生モード時の駆動信号Ｉdを高周波重畳法により生成する（ステップＳ２）。なお、再生モード時の駆動信号Ｉdは下記の式で表すことができる。
Ｉd＝Ｉread＋Ｉrf−ＤＣオフセット補正値
【００４８】
次に、半導体レーザー２１のレーザーパワーが目標パワーに到達しているか否かが判定される（ステップＳ３）。ステップＳ３において半導体レーザー２１のレーザーパワーが目標パワーに到達している場合、ＤＣオフセット補正値を初期値から変更せずに本処理を終了する。
【００４９】
ステップＳ３において半導体レーザー２１のレーザーパワーが目標パワーに到達していない場合、ピックアップ・ドライバー１２は、半導体レーザー２１のレーザーパワーと目標パワーとの差に応じてＤＣオフセット補正値を変更する（ステップＳ４）。半導体レーザー２１のレーザーパワーが目標パワーよりも小さければ、ＤＣオフセット補正値を小さくし、半導体レーザー２１のレーザーパワーが目標パワーよりも大きければ、ＤＣオフセット補正値を大きくする。本実施形態では、ＤＣオフセット補正値を比例定数と振幅設定Ｉmodとの積とし、比例定数を変更してＤＣオフセット補正値を変更する。
【００５０】
ステップＳ４に続くステップＳ５において、再度、半導体レーザー２１のレーザーパワーが目標パワーに到達しているか否かが判定される。ステップＳ５において半導体レーザー２１のレーザーパワーが目標パワーに到達していない場合、ステップＳ４の処理が再度実施される。
【００５１】
ステップＳ５において半導体レーザー２１のレーザーパワーが目標パワーに到達している場合、ステップＳ５において半導体レーザー２１のレーザーパワーが目標パワーに到達している時のＤＣオフセット補正値を、ピックアップ・ドライバー１２内に設けられているメモリに記録する。ＤＣオフセット補正値は、例えば後述する図７のようなテーブルデータの形式でピックアップ・ドライバー１２内に設けられているメモリに記録すればよい。なお、ＤＣオフセット補正値が高周波信号Ｉrfの振幅設定Ｉmodと高周波信号Ｉrfの周波数とを用いた計算式で表現できる場合には、当該計算式の形式でピックアップ・ドライバー１２内に設けられているメモリに記録してもよい。
【００５２】
高周波信号Ｉrfの振幅設定Ｉmodと高周波信号Ｉrfの周波数との組み合わせの各々（５５通り）について図６示す処理フローが実施された後の、ＤＣオフセット補正値の例を図７に示す
【００５３】
図７に示す例では、高周波信号Ｉrfの周波数がｆ１である場合、高周波信号Ｉrfの実際の振幅が振幅設定Ｉmodよりも大きくなっているために、図６のステップＳ４が実施されており、比例定数が高周波信号Ｉrfの振幅設定Ｉmod及び高周波信号Ｉrfの周波数に応じた変数となっている。
【００５４】
また図７に示す例では、高周波信号Ｉrfの周波数がｆ２又はｆ３である場合には、高周波信号Ｉrfの実際の振幅が振幅設定Ｉmodと一致しているために、図６のステップＳ４が実施されておらず、比例定数が固定値（初期値である０．５）となっている。
【００５５】
また図７に示す例では、高周波信号Ｉrfの周波数がｆ４又はｆ５である場合には、高周波信号Ｉrfの実際の振幅が振幅設定Ｉmodよりも小さくなっているために、図６のステップＳ４が実施されており、比例定数が高周波信号Ｉrfの振幅設定Ｉmod及び高周波信号Ｉrfの周波数に応じた変数となっている。
【００５６】
ピックアップ・ドライバー１２は、再生モード時に、上記のようにして設定されたＤＣオフセット補正値を用いて、直流駆動信号Ｉreadに高周波信号Ｉrfを重畳して得られる重畳信号のＤＣオフセットを補正することによって、再生モード時の駆動信号Ｉdを生成している。
【００５７】
以上に説明した本実施形態によれば、ピックアップ・ドライバー１２は、高周波発生回路１２ａが生成した高周波信号Ｉrfの振幅設定Ｉmod及び周波数に応じたＤＣオフセット補正値を用いて、重畳信号のＤＣオフセットを補正する。
【００５８】
これにより、例えば装置状態の変化や環境変化等により高周波信号Ｉrfの設定振幅Ｉmodや周波数を調整する必要が生じても、重畳信号のＤＣオフセットが残存することを抑えることができるので、レーザーパワーの変動を抑えることができる。したがって、例えば装置状態の変化や環境変化等により高周波信号Ｉrfの設定振幅Ｉmodや周波数を調整する必要が生じても、安定した再生を行うことができる。
【００５９】
また本実施形態によれば、少なくとも高周波信号Ｉrfの実際の振幅が振幅設定Ｉmodよりも小さくなる場合に、高周波信号Ｉrfの振幅設定Ｉmod及び周波数に応じたＤＣオフセット補正値を用いて、重畳信号のＤＣオフセットを補正する。
【００６０】
これにより、従来では高周波重畳振幅を大幅に変更したときに再生が不安定になっていた高周波信号Ｉrfの実際の振幅が振幅設定Ｉmodよりも小さくなる場合（図４参照）であっても、安定した再生を行うことができる。
【００６１】
また本実施形態によれば、高周波信号Ｉrfの振幅設定Ｉmod及び周波数に応じたＤＣオフセット補正値が、高周波信号Ｉmodの振幅設定Ｉmod及び周波数に応じた変数と振幅設定Ｉmodとの積である。
【００６２】
これにより、従来のＤＣオフセット補正値が固定値（０．５）と振幅設定（Ｉmod）との積であったため、固定値（０．５）を高周波信号Ｉrfの振幅設定Ｉmod及び周波数に応じた変数に変更するだけで本発明を容易に実施することができる。
【００６３】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００６４】
従って本発明は、以下の形態にも適用可能である。
【００６５】
（Ａ）上記実施形態では、本発明の電流調整処理に関わる各機能がマイクロプロセッサ等の演算処理装置上でプログラムを実行することにより実現されているが、これら各機能が複数の回路により実現される形態でもよい。
【００６６】
（Ｂ）上記実施形態では、図４のステップＳ６で記録されるＤＣオフセット補正値が、高周波信号Ｉrfの振幅設定Ｉmod及び周波数に応じた変数と振幅設定Ｉmodとの積であったが、例えば０．５Ｉmod＋αとしてもよい。ただし、αは高周波信号Ｉrfの振幅設定Ｉmod及び周波数に応じた変数である。
【００６７】
（Ｃ）本発明を適応する装置としては、実施の形態に示した構成以外にも、例えば光ディスク装置を備えた表示装置、パーソナルコンピュータ、携帯型端末装置、または車載用のナビゲーション装置等であってもよい。
【符号の説明】
【００６８】
１    光ディスク装置
１１    光ピックアップ部
１２    ピックアップ・ドライバー（駆動部の一例）
１２ａ    高周波発生回路（高周波生成部の一例）
１３    位置制御部
１４    再生信号処理部
１５    入力Ｉ／Ｆ
１６    制御部
２１    半導体レーザー（レーザー照射部の一例）
２２    対物レンズ
２３    偏向ビームスプリッタ
２４    受光部
１００    光ディスク
【図１】
2014175029.tif 000003
【図２】
2014175029.tif 000004
【図３】
2014175029.tif 000005
【図４】
2014175029.tif 000006
【図５】
2014175029.tif 000007
【図６】
2014175029.tif 000008
【図７】
2014175029.tif 000009